(57)【要約】【課題】  既存の通電チェッカーでは上述の特許文献１にあるように、テスト棒によって検知するものであり、アンテナコネクタに接続できるものがなかった為、カベ端子プレートを外す手間があった。また通電箇所や断線箇所の特定にする中継コネクタもないので、検知するのにかなりの時間を費やしていた。【解決手段】  図３にあるように送受信機器にコネクタをつけ、スイッチをいれることによりコネクタをかいして電池で通電を促し、ＬＥＤランプやブザーなどの検出器で検知可能とし、図２の中継筐体にコネクタをつけることで使用し、送受信機器によって通電の検知を可能とした。【選択図】図５
2011169879.tif 000002
【特許請求の範囲】
【請求項１】
コネクタ中心７．３とコネクタ外輪７．４を配線１０でつないである中継コネクタにより同軸ケーブルの芯線と網組み銅線を導通状態にして、送受信機器本体の電源より電気を送り送受信を検出器で検知可能にした通電チェッカー
【請求項２】
請求項１において、図３が示している送受信機器は、筐体４をもちいて同軸ケーブル５の先端にコネクタ２をつけ、スイッチ１をオンにすることにより、芯線５．１と網組み銅線５．２が電通し、電池９をかいして発光ダイオード（ＬＥＤランプ）３やブザー８などの検出器で検知可能となる通電チェッカー。
【請求項３】
請求項１において、図４が示している中継コネクタは、筐体６をもちいて筐体上下にコネクタ７．１と７．２を設け、コネクタ中心７．３とコネクタ外輪７．４を配線１０でつなげる事により、通電を可能とした中継コネクタ。
【発明の詳細な説明】
【技術分野】
【０００１】  本発明は、アンテナ用コネクタに差し込めるようにした通電チェッカーである。また中継コネクタをもちいることにより、どの同軸ケーブルが通電しているのかを検知したり、同軸ケーブルの断線箇所を検知できる通電チェッカーである。
【背景技術】
【０００２】  アンテナ用コネクタにそのまま接続できる通電チェッカーがなかった。また通電したい箇所を特定して検知することが今まで出来なかった。
【先行技術文献】
【特許文献】
【０００３】
【特許文献１】  実開昭６３−１０７８６５
【発明の概要】
【発明が解決しようとする課題】
【０００４】  既存の通電チェッカーでは上述の特許文献１にあるように、テスト棒によって検知するものであり、アンテナコネクタに接続できるものがなかった。【０００５】  またコネクタではないのでカベ端子用プレートをわざわざ外して、同軸ケーブル１５に上述の特許文献１のテスト棒を接触させないと、通電が検知できなく不便であった。【０００６】通電箇所が確認できる分配器が建物内部に設置されている場合が多く、分配器を通してどこの部屋のアンテナコネクタに通電が配線されているのかを特定するのにかなり時間がかかっていた。【０００７】  建物内に点検口がない場合は分配器を探す事が難しい為、通電部の検知にかなり時間がかかっていた。【０００８】  分配器が確認できても通電箇所の同軸ケーブルがどの部屋に配線しているのか探すのにもかなり時間がかかっていた。【０００９】  既存の同軸ケーブルが断線などしている場合、断線の特定に時間がかかっていた。
【課題を解決するための手段】
【００１０】  上述の特許文献１にあるテスト棒をまず図１にあるように、同軸ケーブル５の先端にコネクタ２をつけることにより、そのままアンテナコネクタに接続可能にした通電チェッカーである。【００１１】  また図２の中継コネクタを同軸ケーブル経路の途中で使用すれば、中継コネクタと送受信機器本体の間で通電の検知が可能な通電チェッカーである。【００１２】  図３の送受信機器本体に電池９を使用し、その電気をかいして発光ダイオウド３（以下ＬＥＤランプとする）が点燈し、ブザー８がなるようにし、音と光で通電を検知できるようにした通電チェッカーである。【００１３】  スイッチ５をつけることにより、電源のオンとオフができ、必要に応じて使えるようにした通電チェッカーである。【００１４】  中継コネクタには７．１，７．２を設けることで、どのタイプのコネクタでも接続可能にした通電チェッカーの中継コネクタである。【００１５】  これにより、分配器１３のイン側に中継コネクタを接続し、各部屋にあるアンテナコネクタ１４に送受信機器本体のコネクタを接続すれば、通電の検知が可能にしたものである。【００１６】  また屋内外で分配器１３が見つからない場合には、アンテナ受信部１１に中継コネクタを接続し、送受信機器本体を各部屋のアンテナコネクタに接続すれば、通電の検知も可能にしたものである。
【発明の効果】
【００１７】  上述の様に、本発明の通電チェッカーは送受信機器本体に同軸ケーブル５の先端にコネクタ２をつけ、アンテナコネクタに素早く接続可能となった。【００１８】  また中継コネクタを使用すれば、診断したい箇所を任意に決める事ができ、断線や機器の故障などどこまで通電しているか、また何が故障しているかをすばやく検知可能となった。【００１９】  さらに、ブースター本体１２や衛星アンテナなど宅内から宅外への電源供給が必要な際、どのアンテナコネクタが通電しているのか素早く検知可能となった。
【図面の簡単な説明】
【００２０】
【図１】  送受信機器本体の平面図である。
【図２】  中継コネクタの平面図である。
【図３】  送受信機器本体の断面図である。
【図４】  中継コネクタの断面図である。
【図５】  一般的な建物内部と環境図の説明である。
【発明を実施するための形態】
【００２１】  以下図面に基づいて説明する。図３は本発明の一実施例として係わる通電チェッカーの送受信機器本体を断面図により示しており、送受信機器本体内部に同軸ケーブル５を取り付け、先端にコネクタをつける。コネクタを接続したとき、スイッチ１を入れることにより、芯線５．１と網組み銅線がつながるので、電池９を介して、ＬＥＤランプ３の点燈とブザー８の音が鳴るようになり、通電の検知を可能にした通電チェッカーの説明である。
【００２２】  図４は中継コネクタの断面図として示しており、こちらにコネクタ雄７．１とコネクタ雌７．２をつけることでどのコネクタにも接続でき、コネクタ中心７．３とコネクタ外輪７．４を有する通電可能にした中継コネクタの説明である。
【実施例】
【００２３】  添付図５にしたがって一実施例を説明する。アンテナ１１があり、同軸ケーブル１５がその下の屋内外の分配器１３を経由して各部屋のアンテナコネクタ１４につながるようになっている。分配器１３は通電する箇所が一箇所の場合が多く、それ以外の部屋に通電しないようになっている。アンテナ１１から分配器１３さらに各部屋のアンテナコネクタ１４の間で断線または機器の故障などない場合、本発明の送受信機器本体をアンテナコネクタ１４に接続すれば、通電箇所においてＬＥＤランプ３の点燈とブザー８の音により、通電部を検知できる。【００２４】  またアンテナを立てたときの立地条件、又は分配の数により電波が減少するのでブースター本体１２をつける必要がある。後付ブースター本体１２は一般的に電源分離型が多く、ブースター電源部１７から分配器１３を経由し、同軸ケーブル１５によって宅内から宅外のブースター本体１２に電源が供給される。供給源からアンテナ１１まで電気は供給可能だが、通電の確認が取れない場合、ブースター電源部１７からブースター本体１２までの間で断線もしくは分配器１３などの故障など、どこまでが正常でどこからが不具合なのか検知できなかった。またブースター電源部１７を使用する際、１００ｖ電源１８が必要なので電源がない場所では使用できなかった。しかし中継コネクタを図５のＡ地点に接続することにより、まずＡ地点からの通電を各部屋のアンテナコネクタ１４に送受信機器を接続し、通電の検知の有無を確認する。これにより、Ａ地点から各部屋のアンテナコネクタ１４のどれかで通電が検知できれば、Ａ地点から各部屋までが正常だと判断できる。したがって、Ａ地点から各部屋のアンテナコネクタ１４で通電の検知が確認できなければ、Ａ地点から各部屋に配線してある同軸ケーブル１５又は、アンテナコネクタ１４に問題があると判断できる。【００２５】  さらに、Ｂ地点に中継コネクタを接続することにより、例えばＡ地点以下において通電の検知ができれば、Ｂ地点からＡ地点の間の同軸ケーブル１５の異常と判断でき、通電の検知ができなければＡ地点から各部屋に配線してある同軸ケーブル１５又は、アンテナコネクタに問題があると判断できる。【００２６】  上記のような使用方法は一部だが、これによりどこが異常なのか特定可能になった。また図５に添付してある分配器１３が屋内外で発見できない場合、Ｂ地点に中継コネクタを接続することによって、各部屋のアンテナコネクタ１４に送受信機器本体を接続すれば、分配器１３が発見できなくとも通電の検知が可能となり、作業の効率化がはかれるようになる。
【符号の説明】
【００２７】１      スイッチ
２      コネクタ
３      発光ダイオード（ＬＥＤランプ）
４      送受信用筐体
５      同軸ケーブル
５．１  芯線
５．２  網組み銅線
６      中継筐体
７．１  コネクタ雄
７．２  コネクタ雌
７．３  コネクタ中心
７．４  コネクタ外輪
８      ブザー
９      電池
１０    配線
１１    アンテナ
１２    ブースター本体
１３    分配器
１４    アンテナコネクタ
１５    同軸ケーブル
１６    カベ端子プレート
１７    ブースター電源部
１８    １００ｖ電気
【図１】
2011169879.tif 000003
【図２】
2011169879.tif 000004
【図３】
2011169879.tif 000005
【図４】
2011169879.tif 000006
【図５】
2011169879.tif 000007